(57)【要約】【課題】本発明は、故障等の異常状態に起因して基地局制御装置と無線局装置の間で誤った信号を伝送してしまった場合であっても、基地局制御装置及び無線局装置を誤動作させることなく、基地局制御装置及び無線局装置を信号同期停止させることを目的とする。【解決手段】本発明に係る光伝送装置１０−１４は、ＯＥ変換部１９と、受信光レベル監視部１９と、受信データのフレーム構造を監視する受信フレーム監視部２０と、光信号レベル及びフレーム構造に基づいて異常の有無を判定し、異常がない場合には、受信データを出力し、異常がある場合には、基地局制御装置１４が通信を停止するよう、基地局制御装置１４及び無線局装置１５が用いるフレーム構造とは異なる特定データを出力する送信データ選択部１８と、送信データ選択部１８の出力したデータを光信号に変換して他方の光伝送路に出力するＥＯ変換部１７と、を備える。【選択図】図４
2017098595.tif 000002
【特許請求の範囲】
【請求項１】
基地局制御装置及び無線局装置を接続する光伝送路に挿入された光伝送装置であって、
一方の光伝送路から受信した光信号を電気信号に変換するＯＥ変換部と、
前記光信号の光信号レベルを監視する受信光レベル監視部と、
前記ＯＥ変換部から得られた受信データのフレーム構造を監視する受信フレーム監視部と、
前記光信号レベル及び前記フレーム構造に基づいて、前記基地局制御装置、前記無線局装置及び前記光伝送路における異常の有無を判定し、異常がない場合には、前記ＯＥ変換部から得られた受信データを出力し、異常がある場合には、他方の光伝送路に接続されている前記基地局制御装置又は前記無線局装置が通信を停止するよう、前記基地局制御装置及び前記無線局装置が用いるフレーム構造とは異なる特定データを出力する送信データ選択部と、
前記送信データ選択部の出力したデータを光信号に変換して前記他方の光伝送路に出力するＥＯ変換部と、
を備える光伝送装置。
【請求項２】
前記送信データ選択部において異常があると判定した場合、前記ＥＯ変換部は、光信号の出力を完全に停止する、
請求項１に記載の光伝送装置。
【請求項３】
基地局制御装置及び無線局装置を接続する光伝送路に挿入された光伝送装置が実行する光伝送方法であって、
一方の光伝送路から受信した光信号を電気信号に変換するＯＥ変換手順と、
前記光信号の光信号レベルを監視する受信光レベル監視手順と、
前記ＯＥ変換手順で得られた受信データのフレーム構造を監視する受信フレーム監視手順と、
前記光信号レベル及び前記フレーム構造に基づいて、前記基地局制御装置、前記無線局装置及び前記光伝送路における異常の有無を判定し、異常がない場合には、前記ＯＥ変換手順で得られた受信データを出力し、異常がある場合には、他方の光伝送路に接続されている前記基地局制御装置又は前記無線局装置が通信を停止するよう、前記基地局制御装置及び前記無線局装置が用いるフレーム構造とは異なる特定データを出力する送信データ選択手順と、
前記送信データ選択手順で出力したデータを光信号に変換して前記他方の光伝送路に出力するＥＯ変換手順と、
を有する光伝送方法。
【発明の詳細な説明】
【技術分野】
【０００１】
本発明は、基地局制御装置と無線局装置を接続する光伝送装置もしくは光伝送システムに関するものである。
【背景技術】
【０００２】
図１に、光伝送システムにおける異常発生例を示す。本発明に関連する光伝送システムは、無線局装置１５及び基地局制御装置１４が光伝送路２５で接続されたシステムであって、無線局装置１５が無線信号を送受信し、基地局制御装置１４が無線局装置１５を制御する。基地局制御装置１４は光伝送路２５と光伝送装置１０−１４を介して接続され、無線局装置１５は光伝送路２５と光伝送装置１０−１５を介して接続される。光伝送システムにおいては、基地局制御装置１４と光伝送装置１０−１４の間の伝送路１６−１４における異常８１、基地局制御装置１４における異常８２、光伝送装置１０−１４における異常８３、光伝送装置１０−１４と光伝送装置１０−１５の間の光伝送路２５における異常８４、光伝送装置１０−１５における異常８５、光伝送装置１０−１５と無線局装置１５の間の光伝送路１６−１５における異常８６、無線局装置１５における異常８７が発生しうる。
【０００３】
図２に、光伝送装置１０−１４の構成の一例を示す。光伝送装置１０−１４は、基地局制御装置１４との通信インタフェース１１、波長変換部１２及び波長多重分離部１３を備える。通信インタフェース１１は、ＣＰＲＩ（Ｃｏｍｍｏｎ  Ｐｕｂｌｉｃ  Ｒａｄｉｏ  Ｉｎｔｅｒｆａｃｅ）（非特許文献１参照）、ＯＢＳＡＩ（Ｏｐｅｎ  Ｂａｓｅ  Ｓｔａｔｉｏｎ  Ａｒｃｈｉｔｅｃｔｕｒｅ  Ｉｎｉｔｉａｔｉｖｅ）（非特許文献２参照）、ＯＲＩ（Ｏｐｅｎ  Ｒａｄｉｏ  ｅｑｕｉｐｍｅｎｔ  Ｉｎｔｅｒｆａｃｅ）（非特許文献３参照）等の信号を伝送する機能を有する。波長変換部１２及び波長多重分離部１３は、複数チャネル多重する機能（例えは、時分割多重、波長多重を用いて）を有する。波長変換部１２は、波長多重する為に各々が同じ光波長にならない様に光信号を変換する。波長多重分離部１３は、複数の光波長に変換された光信号を送受信する。光伝送装置１０−１５についても、光伝送装置１０−１４と同様の構成を有する。この場合、通信インタフェース１１は、無線局装置１５と信号を伝送する機能を有する。
【０００４】
光伝送装置１０−１４は、複数の基地局制御装置１４からの送受信信号を接続する数量に応じた通信インタフェース１１を具備する。光伝送装置１０−１４に備わる各通信インタフェース１１は、ＣＰＲＩ等の信号処理を行い、受信信号の監視を行う。一方で、無線システムでは、厳密な遅延・送受間の遅延差等が規定されている為、光伝送装置１０−１５では、これらの処理・監視をせずに波長変換部１２に接続される。このため、光伝送装置１０−１５における通信インタフェース１１、波長変換部１２、波長多重分離部１３等に故障・障害などの何らかの異常が生じた場合、光伝送装置１０−１４は、光伝送装置１０−１５と期待する信号を送受出来ない事になる。そこで、この様な状態になった場合に備え、基地局制御装置１４及び無線局装置１５は、データを監視し、異常なデータの場合にはそのデータを廃棄していた。
【０００５】
なお、ここで示す従来の技術は波長多重方式を用いた場合を一例として示したが（非特許文献４参照）、多重技術として時分割多重伝送方式でも同様である。
【０００６】
しかしながら、上記従来の光伝送装置１０では、複数のＣＰＲＩ等の信号を多重分離伝送するが、伝送するデータ品質の監視は基地局制御装置１４又は無線局装置１５内の機能に依存する為、事前に基地局制御装置１４又は無線局装置１５との接続検証が必要である問題があった。
【０００７】
また、光伝送装置１０−１５が特殊な故障状態に陥り、基地局制御装置１４又は無線局装置１５が誤動作する様な信号パターンを出力した状態になった場合には、サービス断が発生したり、最悪の場合には違法電波を出力したりするなど、複数の通信キャリアやユーザに影響する問題があった。
【０００８】
ここでいう違法電波の出力について、図３を参照して説明する。図３は、無線局装置１５から各端末へ送信される無線信号の一例を示す。基地局制御装置１４から無線局装置１５へ伝送されるＣＰＲＩ、ＯＢＳＡＩ及びＯＲＩ等の信号データは、リソース（単位時間あたりの搬送波数に相当）を割り当てられた搬送波で変調され、デジタル化（ＡＤ変換）されたものに、制御信号を加えてフレーム化された無線デジタル信号である。光伝送された無線デジタル信号は、無線局装置１５において、各通信事業者に法令により割当てられた無線周波数帯に対応するようにＤＡ変換後に周波数上方変換等を用いて、最終的に無線信号として各端末へ送信される。
【０００９】
光伝送装置１０、基地局制御装置１４及び無線局装置１５が正常に動作する場合、各端末へ送信される無線信号は、図３（ａ）に示すように、法令により各通信事業者に割当てられた中心周波数および周波数帯域幅となる。一方、異常８１〜８７のような光伝送装置１０−１４，１０−１５、基地局制御装置１４又は無線局装置１５のいずれかで異常が発生した場合には、無線デジタル信号にビットエラー等（端的には“０”ｏｒ“１”のビットエラー）の異常が発生する。異常な無線デジタル信号のパターンや無線局装置１０の構成によっては、図３（ｂ）に示すように、本来は基地局制御装置１４において各通信事業者に割り当てられていないはずの周波数領域に無線信号が割当てられていることになり、なおかつ無線局装置１５からこのような各通信事業者に割り当てられていないはずの周波数領域に無線信号を送出してしまうことがあり得る。
【先行技術文献】
【非特許文献】
【００１０】
【非特許文献１】ＣＰＲＩ，  Ｃｏｍｍｏｎ  Ｐｕｂｌｉｃ  Ｒａｄｉｏ  Ｉｎｔｅｒｆａｃｅ，  “ＣＰＲＩ  Ｓｐｅｃｉｆｉｃａｔｉｏｎ  Ｖ６．０”，  Ａｕｇ．，  ２０１３，  ｈｔｔｐ：／／ｗｗｗ．ｃｐｒｉ．ｉｎｆｏ／ｓｐｅｃ．ｈｔｍｌ
【非特許文献２】ＯＢＳＡＩ，  ＯＰＥＮ  ＢＡＳＥ  ＳＴＡＴＩＯＮ  ＡＲＣＨＩＴＥＣＴＵＲＥ  ＩＮＩＴＩＡＴＩＶＥ，  “Ｒｅｆｅｒｅｎｃｅ  Ｐｏｉｎｔ  ３  Ｓｐｅｃｉｆｉｃａｔｉｏｎ  Ｖｅｒｓｉｏｎ  ４．２”，  ２０１０，  ｈｔｔｐ：／／ｗｗｗ．ｏｂｓａｉ．ｃｏｍ／ｓｐｅｃｉｆｉｃａｔｉｏｎｓ．ｈｔｍ
【非特許文献３】ＯＲＩ，  Ｏｐｅｎ  Ｒａｄｉｏ  Ｅｑｕｉｐｍｅｎｔ  Ｉｎｔｅｒｆａｃｅ，  “ＥＴＳＩ  ＧＳ  ＯＲＩ  ００２−１  Ｖ４．１．１  （２０１４−１０）”，  Ｏｃｔ．，  ２０１４，  ｈｔｔｐ：／／ｗｗｗ．ｅｔｓｉ．ｏｒｇ／ｓｔａｎｄａｒｄｓ−ｓｅａｒｃｈ
【非特許文献４】Ｇｈｅｂｒｅｔｅｎｓａｅ，  Ｚ．，  ｅｔ．  Ａｌ．，  “Ｔｒａｎｓｍｉｓｓｉｏｎ  Ｓｏｌｕｔｉｏｎｓ  ａｎｄ  Ａｒｃｈｉｔｅｃｔｕｒｅｓ  ｆｏｒ  Ｈｅｔｅｒｏｇｅｎｅｏｕｓ  Ｎｅｔｗｏｒｋｓ  Ｂｕｉｌｔ  ａｓ  Ｃ−ＲＡＮｓ”，  Ｃｏｍｍｕｎｉｃａｔｉｏｎｓ  ａｎｄ  Ｎｅｔｗｏｒｋｉｎｇ  ｉｎ  Ｃｈｉｎａ  （ＣＨＩＮＡＣＯＭ），  ２０１２  ７ｔｈ  Ｉｎｔｅｒｎａｔｉｏｎａｌ  ＩＣＳＴ  Ｃｏｎｆｅｒｅｎｃｅ  ｏｎ，  ｐｐ．７４８−７５２，  Ａｕｇ．，  ２０１２
【発明の概要】
【発明が解決しようとする課題】
【００１１】
この発明は、上記問題点に鑑みなされたもので、故障等の異常状態に起因して基地局制御装置と無線局装置の間で誤った信号を伝送してしまった場合であっても、基地局制御装置及び無線局装置を誤動作させることなく、基地局制御装置及び無線局装置を信号同期停止させることを目的としている。
【課題を解決するための手段】
【００１２】
本発明に係る光伝送装置は、
基地局制御装置及び無線局装置を接続する光伝送路に挿入された光伝送装置であって、
一方の光伝送路から受信した光信号を電気信号に変換するＯＥ変換部と、
前記光信号の光信号レベルを監視する受信光レベル監視部と、
前記ＯＥ変換部から得られた受信データのフレーム構造を監視する受信フレーム監視部と、
前記光信号レベル及び前記フレーム構造に基づいて、前記基地局制御装置、前記無線局装置及び前記光伝送路における異常の有無を判定し、異常がない場合には、前記ＯＥ変換部から得られた受信データを出力し、異常がある場合には、他方の光伝送路に接続されている前記基地局制御装置又は前記無線局装置が通信を停止するよう、前記基地局制御装置及び前記無線局装置が用いるフレーム構造とは異なる特定データを出力する送信データ選択部と、
前記送信データ選択部の出力したデータを光信号に変換して前記他方の光伝送路に出力するＥＯ変換部と、
を備える。
【００１３】
前記送信データ選択部において異常があると判定した場合、前記ＥＯ変換部は、光信号の出力を完全に停止してもよい。
【００１４】
本発明に係る光伝送方法は、
基地局制御装置及び無線局装置を接続する光伝送路に挿入された光伝送装置が実行する光伝送方法であって、
一方の光伝送路から受信した光信号を電気信号に変換するＯＥ変換手順と、
前記光信号の光信号レベルを監視する受信光レベル監視手順と、
前記ＯＥ変換手順で得られた受信データのフレーム構造を監視する受信フレーム監視手順と、
前記光信号レベル及び前記フレーム構造に基づいて、前記基地局制御装置、前記無線局装置及び前記光伝送路における異常の有無を判定し、異常がない場合には、前記ＯＥ変換手順で得られた受信データを出力し、異常がある場合には、他方の光伝送路に接続されている前記基地局制御装置又は前記無線局装置が通信を停止するよう、前記基地局制御装置及び前記無線局装置が用いるフレーム構造とは異なる特定データを出力する送信データ選択手順と、
前記送信データ選択手順で出力したデータを光信号に変換して前記他方の光伝送路に出力するＥＯ変換手順と、
を有する。
【発明の効果】
【００１５】
本発明によれば、故障等の異常状態に起因して基地局制御装置と無線局装置の間で誤った信号を伝送してしまった場合であっても、基地局制御装置及び無線局装置を誤動作させることなく、基地局制御装置及び無線局装置を信号同期停止させることができる。
【図面の簡単な説明】
【００１６】
【図１】光伝送システムにおける故障及び障害の一例を示す。
【図２】光伝送装置の構成の一例を示す。
【図３】無線局装置から各端末へ送信される無線信号の一例であり、（ａ）は各装置が正常に動作する場合を示し、（ｂ）はいずれかの装置で異常が発生した場合を示す。
【図４】本実施形態に係る光伝送装置の一例を示す機能ブロック図である。
【発明を実施するための形態】
【００１７】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００１８】
（実施形態１）
本実施形態は、Ｃ−ＲＡＮ（Ｃｅｎｔｒａｌｉｚｅｄ  Ｒａｄｉｏ  Ａｃｃｅｓｓ  Ｎｅｔｗｏｒｋ）構成の光伝送システムについて説明する。本実施形態の光伝送システムは、図１に示すように、ＢＢＵ（Ｂａｓｅ  Ｂａｎｄ  Ｕｎｉｔ）等の基地局制御装置１４とＲＲＨ（Ｒｅｍｏｔｅ  Ｒａｄｉｏ  Ｈｅａｄ）等の無線局装置１５間にある光伝送路に、効率化を図る光伝送装置１０−１４及び１０−１５が入る。本実施形態の光伝送装置１０−１４及び１０−１５は、意図しない不要な無線デジタル信号を停止する事を目的としたリンクダウン転送制御を行う。これにより、本実施形態の光伝送システムは、無線局から異常な電波を送信することを防止する。なお、光伝送装置１０−１４及び１０−１５の伝送は、任意の伝送方式を用いることが可能であり、例えば、電気多重、光波長多重又はこれらを組み合わせた多重方式を用いることができる。
【００１９】
本実施形態に係る光伝送装置１０−１４及び１０−１５は、図１に示す異常８１〜８７を監視し、いずれかの異常を検知した場合には、基地局制御装置１４及び無線局装置１５に対する信号を、基地局制御装置１４及び無線局装置１５が異常な動作を誘発しない特定パターンのデータに切り替えて出力する。
【００２０】
例えば、光伝送装置１０−１４及び１０−１５は、基地局制御装置１４もしくは無線局装置１５からの受信信号および光伝送路２５を介して対向する光伝送装置からの送受信信号の伝送フレームや光送受信レベルを監視する。そして、異常が検出された場合には、自装置１０−１４、１０−１５は、基地局制御装置１４もしくは無線局装置１５が誤動作などを誘発しない出力信号パターンとしつつ、対向する光伝送装置に伝送フレームを介して伝送する一意の信号もしくは全ての信号を出力するものか否かの制御する機能を具備することを特長とするリンクダウン転送制御を提供するものである。
【００２１】
図４は、本実施形態に係る光伝送装置１０−１４の一例を示す機能ブロック図である。本実施形態では、光伝送装置１０−１４が、基地局制御装置１４と光伝送路１６−１４で接続され、光伝送装置１０−１５と光伝送路２５で接続されている場合について説明する。光伝送装置１０−１４は、光伝送装置１０−１５からの信号を基地局制御装置１４に転送する上り転送機能部と、基地局制御装置１４からの信号を光伝送装置１０−１５に転送する下り転送機能部と、を備える。
【００２２】
上り転送機能部は、例えば、ＯＥ変換部１９、受信フレーム監視部２０、送信データ選択部１８及びＥＯ変換部１７である。ＯＥ変換部１９は、光伝送路２５で伝送された光信号を電気信号に変換する。これにより、フレーム化された無線デジタル信号がＯＥ変換部１９から出力される。受信フレーム監視部２０は、ＯＥ変換部１９から出力された電気信号を用いてフレームを監視する。送信データ選択部１８は、基地局制御装置１４に送信するデータを選択する。ＥＯ変換部１７は、送信データ選択部１８から出力されたデータの電気信号を光信号に変換する。これにより、光伝送装置１０−１４から光伝送路１６−１４に光信号が伝送される。
【００２３】
下り転送機能部は、例えば、ＯＥ変換部２１、受信フレーム監視部２４、送信データ選択部２２及びＥＯ変換部２３である。ＯＥ変換部２１は、光伝送路１６−１４で伝送された光信号を電気信号に変換する。受信フレーム監視部２４は、ＯＥ変換部２１から出力された電気信号を用いてフレームを監視する。送信データ選択部２２は、基地局制御装置１４に送信するデータを選択する。ＥＯ変換部２３は、送信データ選択部２２から出力されたデータの電気信号を光信号に変換する。これにより、光伝送装置１０−１４から光伝送路２５に光信号が伝送される。
【００２４】
ＯＥ変換部１９、２１は、受信光レベル監視部として機能し、受信する光信号レベルが光伝送装置１０−１４として規定する範囲内（閾値以内）であるかを判定しつつ、並列する送信データ選択部１８、２２及び受信フレーム監視部２０、２４に電気信号を出力する。このとき、ＯＥ変換部１９、２１は、判定結果も送信データ選択部１８、２２へ出力する。これにより、光伝送路１６−１４、１６−１５、２５における異常を検出する。
【００２５】
ここで、閾値は、光伝送路１６−１４、１６−１５、２５における異常の具体的な動作状況に対応していることが好ましい。例えば、各装置間の最大伝送距離等の光伝送システムの適用領域、各装置に搭載する各光トランシーバの受信機における最小受光感度等のスペックを基準に、運用上のある程度のマージンを勘案した上で決定することが好ましい。
【００２６】
受信フレーム監視部２０、２４における監視は、例えば、予め定められたフレーム構造であるかを判定し、判定結果を送信データ選択部１８に出力する。受信フレーム監視部２０、２４は、さらに、フレームに含まれる制御情報に基づいて、光伝送装置１０−１５の異常８５、光伝送装置１０−１５と無線局装置１５との光伝送路１６−１５の異常８６、無線局装置１５の異常８７の有無を判定する。
【００２７】
送信データ選択部１８、２２は、ＯＥ変換部１９、２１において受信した光信号レベル異常の判定結果、受信フレーム監視部２０、２４における受信データのフレーム異常の判定結果、並びに、それ以外の自装置異常の検出結果に基づいて、異常を検出する。そして、異常が検知されない場合には、送信データ選択部１８、２２は、該当する多重された一意のチャネルもしくは全てのチャネルのＣＰＲＩ等の受信したデータを出力する。一方、いずれかでも異常が検知された場合には、送信データ選択部１８、２２は、基地局制御装置１４もしくは無線局装置１５が誤動作しない特定データに切り替える。
【００２８】
光伝送装置１０−１５についても光伝送装置１０−１４と同様である。ただし、基地局制御装置１４が無線局装置１５に、光伝送路１６−１４は光伝送路１６−１５となる。また、受信フレーム監視部２０、２４における監視は、フレームに含まれる制御情報に基づいて、光伝送装置１０−１４の異常８３、光伝送装置１０−１４と基地局制御装置１４との光伝送路１６−１４の異常８１、基地局制御装置１４の異常８２の有無を判定する。
【００２９】
ここで、「特定データ」は、基地局制御装置１４から無線局装置１５間で通常は使用されない特定のビットパターンを有するデータである。例えば、基地局制御装置１４もしくは無線局装置１５では、ＣＰＲＩ等の信号識別に特定の信号系列（制御信号領域の特定のビットパターン）によるフレーム識別を用いている。そこで、特定パターンは、基地局制御装置１４及び無線局装置１５においてフレーム識別されないような、基地局制御装置１４及び無線局装置１５が用いるフレーム構造とは異なる特定のデータ系列であれば良い。
【００３０】
具体的な特定のデータ系列の例としては、伝送路符号化前の“０”連続系列、“１”連続系列、もしくはＰＲＢＳ（Ｐｓｅｕｄｏ−Ｒａｎｄｏｍ  Ｂｉｎａｒｙ  Ｓｅｑｕｅｎｃｅ）のような疑似ランダム系列等が挙げられる。基地局制御装置１４および無線局装置間１５の通信インタフェースであるＣＰＲＩ等においては、通常は送信するデータ系列を伝送路符号化（８Ｂ１０Ｂ・６４Ｂ６６Ｂ等を適用）した後に光信号化（Ｅ／Ｏ変換）されるため、伝送路符号化前においていかなるデータ系列であったとしても、伝送路符号化後には“０”連続もしくは“１”連続とは成り得ない。そこで、伝送路符号化前の特定のデータ系列をこのように選択し、物理信号で“０”連続もしくは“１”連続とならないような特定のパターンにすることで、基地局制御装置１４若しくは無線局装置１５の通信を停止させることができる。
【００３１】
本実施形態に係る光伝送装置１０−１４及び１０−１５は、装置故障や伝送路異常等によってＣＰＲＩ等の信号断が発生した場合に、特定データの光信号を送信する。これにより、基地局制御装置１４もしくは無線局装置１５に対しては（無意味な）物理的な信号系列が出力され続け、それぞれの通信インタフェース（トランシーバの受信機）で物理的な信号系列を受信後にＣＤＲ（Ｃｌｏｃｋ  Ｄａｔａ  Ｒｅｃｏｖｅｒｙ）にてクロック抽出することが可能になる。基地局制御装置１４および無線局装置１５のデッドロック要因として、再起動シーケンスに避ける物理クロックの同期に時間を要することが考えられ、上記の動作によりこれを回避することが可能となる。
【００３２】
なお、光伝送装置１０−１４、１０−１５においてＣＰＲＩ等の信号を多重する方式が時分割多重の場合には、送信データ選択部１８、２２は、時分割多重機能をさらに有する。これら異常が一時的な要因に起因される場合には、送信データ選択部１８、２２は、状態監視によりある一定期間で正常性が確認でき次第、正規の信号を出力することが好ましい。この機能の有効・無効は、外部から設定できることが好ましい。これにより、基地局制御装置１４および無線局装置１５が、光伝送路１６−１４、１６−１５、２５の伝送区間もしくは自身の通信インタフェース部で生じる異常による誤動作により、基地局制御装置１４及び無線局装置１５のデッドロック（各装置で再起動シーケンスが完了せずに実行し続ける等の動作が固まる状態に陥ること）を未然に抑止することができる。
【００３３】
以上説明したように、本実施形態は、異常発生時に、基地局制御装置１４又は無線局装置１５へ入力する光信号を断（強制リンクダウン）することで、基地局制御装置１４又は無線局装置１５から異常な無線信号（違法電波）を出力されることを防止することができる。
【００３４】
（実施形態２）
本実施形態では、より確実に誤動作を抑止する為に、基地局制御装置１４および無線局装置１５への光出力のみを完全に停止（消光）する。
【００３５】
図４は、本実施形態に係る光伝送装置１０−１４の一例を示す機能ブロック図である。光伝送装置１０−１４は、単独もしくは複数の基地局制御装置１４からのＣＰＲＩ等の信号を多重分離伝送する。なお、図４の構成はＣＰＲＩ等の信号を１チャネル処理する為の構成例を示すものである。
【００３６】
ＯＥ変換部２１は、基地局制御装置１４からのＣＰＲＩ等の信号を電気信号に変換するとともに、受信・再生する上で適正な光信号レベルであるかを判定する。適正ではないと判断された場合には送信データ選択部２２に通知する。電気信号に変換された信号は、受信フレーム監視部２４と送信データ選択部２２に出力される。
【００３７】
送信データ選択部２２は、仮に、時分割多重でＣＰＲＩ等の信号を多重している場合には、多重化された信号の分離処理を行う。これと並行して、受信フレーム監視部２４は、この多重状態のフレーム状態および多重されるＣＰＲＩ等の信号の信号品質（対向装置での分離出力の可否）等を、送信データ選択部２２に情報を入力する。送信データ選択部２２は、これらの制御情報等を全て多重した後に、多重化されたＣＰＲＩ等の信号（以下、多重化信号）を出力する。
【００３８】
次に、ＥＯ変換部２３は、送信データ選択部２２からの出力信号を光信号に変換し、対向装置となる光伝送装置１０−１５に光伝送路２５を介して送信する。
【００３９】
伝送された多重化信号は、対向する光伝送装置１０−１５で受信される。光伝送装置１０−１５における機能構成は、図４の光伝送装置１０−１４の項番１７〜２０と同等である事から本図を用いて説明する。ただし、光伝送路１６−１４は１６−１５となり、基地局制御装置１４は無線局装置１５となる。
【００４０】
多重化信号は、ＯＥ変換部１９で電気信号に変換される。この際、受信・再生する上で適正な光信号レベルであるかも判定する。判定の結果、適正ではないと判断された場合には送信データ選択部１８に通知する。ＯＥ変換部１９、受信フレーム監視部２０、送信データ選択部１８及びＥＯ変換部１７は、全データの出力を本実施形態に係るリンクダウン転送制御に基づき、無線局装置１５に信号を出力する。
【００４１】
ＯＥ変換部１９で電気変換された多重化信号は、受信フレーム監視部２０と送信データ選択部１８に出力される。時分割多重でＣＰＲＩ等の信号を多重している場合には、送信データ選択部１８は、多重化された信号の分離処理を行う。これと並行して、受信フレーム監視部２０は、この多重状態のフレームから対向する光伝送装置１０−１４の状態を解析し、受信フレームが正常か否かを判定する。この際、異常と判断した場合には、異常があるのが多重されている全データなのか一意のチャネルなのかの判定を行い、その判定結果を送信データ選択部１８に通知する。
【００４２】
送信データ選択部１８は、実施形態１と同様に異常を検出し、受信した多重化信号から分離したデータ（ＣＰＲＩ等の信号）を出力するか、接続先にある無線局装置１５に影響を与えない信号を出力するかを選択する。ＥＯ変換部１７は、送信データ選択部１８からの信号を、光信号に変換し出力する。このとき、送信データ選択部１８において異常があると判定した場合、ＥＯ変換部１７は、無線局装置１５への光出力のみを完全に停止（消光）する。
【００４３】
光伝送システムは、光伝送路２５の利用効率を最大限に高めることを目的として、光伝送技術で用いられる時分割多重もしくは波長多重を活用する。しかし、多重度が高まることにより、伝送品質が劣化するため、異常が発生しやすくなる。本実施形態に係る光伝送システムは、リンクダウン転送制御を用いることにより、障害発生時の影響度を最小化しつつサービスを継続することができる。
【００４４】
以上説明したように、本実施形態は、無効なデータとなる（データ系列とは解釈されない）物理光信号を停止することで、無線局装置１５から異常な無線信号を出力されることを防止するとともに、デッドロック状態を防止することができる。
【産業上の利用可能性】
【００４５】
本発明は情報通信産業に適用することができる。
【符号の説明】
【００４６】
１０−１４、１０−１５：光伝送装置
１１：通信インタフェース
１２：波長変換部
１３：波長多重分離部
１４：基地局制御装置
１５：無線局装置
１６−１４、１６−１５、２５：光伝送路
１７、２３：ＥＯ変換部
１８、２２：送信データ選択部
１９、２１：ＯＥ変換部
２０、２４：受信フレーム監視部
８１、８２、８３、８４、８５、８６、８７：異常
【図１】
2017098595.tif 000003
【図２】
2017098595.tif 000004
【図３】
2017098595.tif 000005
【図４】
2017098595.tif 000006
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
基地局制御装置及び無線局装置を接続する光伝送路に挿入された光伝送装置であって、
前記無線局装置側の光伝送路から受信した上り光信号を電気信号に変換する上りＯＥ変換部と、
前記上り光信号の光信号レベルを監視する上り受信光レベル監視部と、
前記上りＯＥ変換部から得られた上り受信データのフレーム構造を監視する上り受信フレーム監視部と、
前記上り光信号の光信号レベル及び前記上り受信データのフレーム構造に基づいて、前記無線局装置及び前記無線局装置側の光伝送路における異常の有無を判定し、異常がない場合には前記上り受信データを出力し、異常がある場合には前記上り受信データのフレーム構造とは異なる特定パターンのデータに切り替えて出力する上り送信データ選択部と、
前記上り送信データ選択部の出力したデータを光信号に変換して前記基地局制御装置側の光伝送路に出力する上りＥＯ変換部と、
前記基地局制御装置側の光伝送路から受信した下り光信号を電気信号に変換する下りＯＥ変換部と、
前記下り光信号の光信号レベルを監視する下り受信光レベル監視部と、
前記下りＯＥ変換部から得られた下り受信データのフレーム構造を監視する下り受信フレーム監視部と、
前記下り光信号の光信号レベル及び前記下り受信データのフレーム構造に基づいて、前記基地局制御装置及び前記基地局制御装置側の光伝送路における異常の有無を判定し、異常がない場合には前記下り受信データを出力し、異常がある場合には前記下り受信データのフレーム構造とは異なる特定パターンのデータに切り替えて出力する下り送信データ選択部と、
前記下り送信データ選択部の出力したデータを光信号に変換して前記無線局装置側の光伝送路に出力する下りＥＯ変換部と、
を備える光伝送装置。
【請求項２】
前記上り送信データ選択部において異常があると判定した場合、前記上りＥＯ変換部は、光信号の出力を完全に停止し、
前記下り送信データ選択部において異常があると判定した場合、前記下りＥＯ変換部は、光信号の出力を完全に停止する、
請求項１に記載の光伝送装置。
【請求項３】
基地局制御装置及び無線局装置を接続する光伝送路に挿入された光伝送装置が実行する光伝送方法であって、
前記無線局装置側の光伝送路から受信した上り光信号を電気信号に変換する上りＯＥ変換手順と、
前記光信号の光信号レベルを監視する上り受信光レベル監視手順と、
前記上りＯＥ変換手順で得られた上り受信データのフレーム構造を監視する上り受信フレーム監視手順と、
前記上り光信号の光信号レベル及び前記上り受信データのフレーム構造に基づいて、前記無線局装置及び前記無線局装置側の光伝送路における異常の有無を判定し、異常がない場合には前記上り受信データを出力し、異常がある場合には前記上り受信データのフレーム構造とは異なる特定パターンのデータに切り替えて出力する上り送信データ選択手順と、
前記上り送信データ選択手順で出力したデータを光信号に変換して前記基地局制御装置側の光伝送路に出力する上りＥＯ変換手順と、
前記基地局制御装置側の光伝送路から受信した下り光信号を電気信号に変換する下りＯＥ変換手順と、
前記下り光信号の光信号レベルを監視する下り受信光レベル監視手順と、
前記下りＯＥ変換手順で得られた下り受信データのフレーム構造を監視する下り受信フレーム監視手順と、
前記下り光信号の光信号レベル及び前記下り受信データのフレーム構造に基づいて、前記基地局制御装置及び前記基地局制御装置側の光伝送路における異常の有無を判定し、異常がない場合には前記下り受信データを出力し、異常がある場合には前記下り受信データのフレーム構造とは異なる特定パターンのデータに切り替えて出力する下り送信データ選択手順と、
前記下り送信データ選択手順で出力したデータを光信号に変換して前記無線局装置側の光伝送路に出力する下りＥＯ変換手順と、
を有する光伝送方法。
【手続補正２】
【補正対象書類名】明細書
【補正対象項目名】００１２
【補正方法】変更
【補正の内容】
【００１２】
本発明に係る光伝送装置は、
基地局制御装置及び無線局装置を接続する光伝送路に挿入された光伝送装置であって、
前記無線局装置側の光伝送路から受信した上り光信号を電気信号に変換する上りＯＥ変換部と、
前記上り光信号の光信号レベルを監視する上り受信光レベル監視部と、
前記上りＯＥ変換部から得られた上り受信データのフレーム構造を監視する上り受信フレーム監視部と、
前記上り光信号の光信号レベル及び前記上り受信データのフレーム構造に基づいて、前記無線局装置及び前記無線局装置側の光伝送路における異常の有無を判定し、異常がない場合には前記上り受信データを出力し、異常がある場合には前記上り受信データのフレーム構造とは異なる特定パターンのデータに切り替えて出力する上り送信データ選択部と、
前記上り送信データ選択部の出力したデータを光信号に変換して前記基地局制御装置側の光伝送路に出力する上りＥＯ変換部と、
前記基地局制御装置側の光伝送路から受信した下り光信号を電気信号に変換する下りＯＥ変換部と、
前記下り光信号の光信号レベルを監視する下り受信光レベル監視部と、
前記下りＯＥ変換部から得られた下り受信データのフレーム構造を監視する下り受信フレーム監視部と、
前記下り光信号の光信号レベル及び前記下り受信データのフレーム構造に基づいて、前記基地局制御装置及び前記基地局制御装置側の光伝送路における異常の有無を判定し、異常がない場合には前記下り受信データを出力し、異常がある場合には前記下り受信データのフレーム構造とは異なる特定パターンのデータに切り替えて出力する下り送信データ選択部と、
前記下り送信データ選択部の出力したデータを光信号に変換して前記無線局装置側の光伝送路に出力する下りＥＯ変換部と、
を備える。
【手続補正３】
【補正対象書類名】明細書
【補正対象項目名】００１３
【補正方法】変更
【補正の内容】
【００１３】
前記上り送信データ選択部において異常があると判定した場合、前記上りＥＯ変換部は、光信号の出力を完全に停止し、
前記下り送信データ選択部において異常があると判定した場合、前記下りＥＯ変換部は、光信号の出力を完全に停止してもよい。
【手続補正４】
【補正対象書類名】明細書
【補正対象項目名】００１４
【補正方法】変更
【補正の内容】
【００１４】
本発明に係る光伝送方法は、
基地局制御装置及び無線局装置を接続する光伝送路に挿入された光伝送装置が実行する光伝送方法であって、
前記無線局装置側の光伝送路から受信した上り光信号を電気信号に変換する上りＯＥ変換手順と、
前記上り光信号の光信号レベルを監視する上り受信光レベル監視手順と、
前記上りＯＥ変換手順で得られた上り受信データのフレーム構造を監視する上り受信フレーム監視手順と、
前記上り光信号の光信号レベル及び前記上り受信データのフレーム構造に基づいて、前記無線局装置及び前記無線局装置側の光伝送路における異常の有無を判定し、異常がない場合には前記上り受信データを出力し、異常がある場合には前記上り受信データのフレーム構造とは異なる特定パターンのデータに切り替えて出力する上り送信データ選択手順と、
前記上り送信データ選択手順で出力したデータを光信号に変換して前記基地局制御装置側の光伝送路に出力する上りＥＯ変換手順と、
前記基地局制御装置側の光伝送路から受信した下り光信号を電気信号に変換する下りＯＥ変換手順と、
前記下り光信号の光信号レベルを監視する下り受信光レベル監視手順と、
前記下りＯＥ変換手順で得られた下り受信データのフレーム構造を監視する下り受信フレーム監視手順と、
前記下り受信光の光信号レベル及び前記下り受信データのフレーム構造に基づいて、前記基地局制御装置及び前記基地局制御装置側の光伝送路における異常の有無を判定し、異常がない場合には前記下り受信データを出力し、異常がある場合には前記下り受信データのフレーム構造とは異なる特定パターンのデータに切り替えて出力する下り送信データ選択手順と、
前記下り送信データ選択手順で出力したデータを光信号に変換して前記無線局装置側の光伝送路に出力する下りＥＯ変換手順と、
を有する。
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
基地局制御装置及び無線局装置を接続する光伝送路に挿入された光伝送装置であって、
前記無線局装置側の光伝送路から受信した上り光信号を電気信号に変換する上りＯＥ変換部と、
前記上り光信号の光信号レベルを監視する上り受信光レベル監視部と、
前記上りＯＥ変換部から得られた上り受信データのフレーム構造を監視する上り受信フレーム監視部と、
前記上り光信号の光信号レベル及び前記上り受信データのフレーム構造に基づいて、前記無線局装置及び前記無線局装置側の光伝送路における異常の有無を判定し、異常がない場合には前記上り受信データを出力し、異常がある場合には前記上り受信データのフレーム構造とは異なりかつ前記基地局制御装置が用いるフレーム構造とは異なる特定のデータ系列を有する特定パターンのデータに切り替えて出力する上り送信データ選択部と、
前記上り送信データ選択部の出力したデータを光信号に変換して前記基地局制御装置側の光伝送路に出力する上りＥＯ変換部と、
前記基地局制御装置側の光伝送路から受信した下り光信号を電気信号に変換する下りＯＥ変換部と、
前記下り光信号の光信号レベルを監視する下り受信光レベル監視部と、
前記下りＯＥ変換部から得られた下り受信データのフレーム構造を監視する下り受信フレーム監視部と、
前記下り光信号の光信号レベル及び前記下り受信データのフレーム構造に基づいて、前記基地局制御装置及び前記基地局制御装置側の光伝送路における異常の有無を判定し、異常がない場合には前記下り受信データを出力し、異常がある場合には前記下り受信データのフレーム構造とは異なりかつ前記無線局装置が用いるフレーム構造とは異なる特定のデータ系列を有する特定パターンのデータに切り替えて出力する下り送信データ選択部と、
前記下り送信データ選択部の出力したデータを光信号に変換して前記無線局装置側の光伝送路に出力する下りＥＯ変換部と、
を備える光伝送装置。
【請求項２】
基地局制御装置及び無線局装置を接続する光伝送路に挿入された光伝送装置であって、
前記無線局装置側の光伝送路から受信した上り光信号を電気信号に変換する上りＯＥ変換部と、
前記上り光信号の光信号レベルを監視する上り受信光レベル監視部と、
前記上りＯＥ変換部から得られた上り受信データのフレーム構造を監視する上り受信フレーム監視部と、
前記上り光信号の光信号レベル及び前記上り受信データのフレーム構造に基づいて、前記無線局装置及び前記無線局装置側の光伝送路における異常の有無を判定し、異常がない場合には前記上り受信データを出力し、異常がある場合には前記上り受信データのフレーム構造とは異なる特定パターンのデータに切り替えて出力する上り送信データ選択部と、
前記上り送信データ選択部の出力したデータを光信号に変換して前記基地局制御装置側の光伝送路に出力する上りＥＯ変換部と、
前記基地局制御装置側の光伝送路から受信した下り光信号を電気信号に変換する下りＯＥ変換部と、
前記下り光信号の光信号レベルを監視する下り受信光レベル監視部と、
前記下りＯＥ変換部から得られた下り受信データのフレーム構造を監視する下り受信フレーム監視部と、
前記下り光信号の光信号レベル及び前記下り受信データのフレーム構造に基づいて、前記基地局制御装置及び前記基地局制御装置側の光伝送路における異常の有無を判定し、異常がない場合には前記下り受信データを出力し、異常がある場合には前記下り受信データのフレーム構造とは異なる特定パターンのデータに切り替えて出力する下り送信データ選択部と、
前記下り送信データ選択部の出力したデータを光信号に変換して前記無線局装置側の光伝送路に出力する下りＥＯ変換部と、
を備え、
前記上り送信データ選択部において異常があると判定した場合、前記上りＥＯ変換部は、光信号の出力を完全に停止し、
前記下り送信データ選択部において異常があると判定した場合、前記下りＥＯ変換部は、光信号の出力を完全に停止する、
ことを特徴とする光伝送装置。
【請求項３】
基地局制御装置及び無線局装置を接続する光伝送路に挿入された光伝送装置が実行する光伝送方法であって、
前記無線局装置側の光伝送路から受信した上り光信号を電気信号に変換する上りＯＥ変換手順と、
前記光信号の光信号レベルを監視する上り受信光レベル監視手順と、
前記上りＯＥ変換手順で得られた上り受信データのフレーム構造を監視する上り受信フレーム監視手順と、
前記上り光信号の光信号レベル及び前記上り受信データのフレーム構造に基づいて、前記無線局装置及び前記無線局装置側の光伝送路における異常の有無を判定し、異常がない場合には前記上り受信データを出力し、異常がある場合には前記上り受信データのフレーム構造とは異なりかつ前記基地局制御装置が用いるフレーム構造とは異なる特定のデータ系列を有する特定パターンのデータに切り替えて出力する上り送信データ選択手順と、
前記上り送信データ選択手順で出力したデータを光信号に変換して前記基地局制御装置側の光伝送路に出力する上りＥＯ変換手順と、
前記基地局制御装置側の光伝送路から受信した下り光信号を電気信号に変換する下りＯＥ変換手順と、
前記下り光信号の光信号レベルを監視する下り受信光レベル監視手順と、
前記下りＯＥ変換手順で得られた下り受信データのフレーム構造を監視する下り受信フレーム監視手順と、
前記下り光信号の光信号レベル及び前記下り受信データのフレーム構造に基づいて、前記基地局制御装置及び前記基地局制御装置側の光伝送路における異常の有無を判定し、異常がない場合には前記下り受信データを出力し、異常がある場合には前記下り受信データのフレーム構造とは異なりかつ前記無線局装置が用いるフレーム構造とは異なる特定のデータ系列を有する特定パターンのデータに切り替えて出力する下り送信データ選択手順と、
前記下り送信データ選択手順で出力したデータを光信号に変換して前記無線局装置側の光伝送路に出力する下りＥＯ変換手順と、
を有する光伝送方法。
【手続補正２】
【補正対象書類名】明細書
【補正対象項目名】００１２
【補正方法】変更
【補正の内容】
【００１２】
本発明に係る光伝送装置は、
基地局制御装置及び無線局装置を接続する光伝送路に挿入された光伝送装置であって、
前記無線局装置側の光伝送路から受信した上り光信号を電気信号に変換する上りＯＥ変換部と、
前記上り光信号の光信号レベルを監視する上り受信光レベル監視部と、
前記上りＯＥ変換部から得られた上り受信データのフレーム構造を監視する上り受信フレーム監視部と、
前記上り光信号の光信号レベル及び前記上り受信データのフレーム構造に基づいて、前記無線局装置及び前記無線局装置側の光伝送路における異常の有無を判定し、異常がない場合には前記上り受信データを出力し、異常がある場合には前記上り受信データのフレーム構造とは異なりかつ前記基地局制御装置が用いるフレーム構造とは異なる特定のデータ系列を有する特定パターンのデータに切り替えて出力する上り送信データ選択部と、
前記上り送信データ選択部の出力したデータを光信号に変換して前記基地局制御装置側の光伝送路に出力する上りＥＯ変換部と、
前記基地局制御装置側の光伝送路から受信した下り光信号を電気信号に変換する下りＯＥ変換部と、
前記下り光信号の光信号レベルを監視する下り受信光レベル監視部と、
前記下りＯＥ変換部から得られた下り受信データのフレーム構造を監視する下り受信フレーム監視部と、
前記下り光信号の光信号レベル及び前記下り受信データのフレーム構造に基づいて、前記基地局制御装置及び前記基地局制御装置側の光伝送路における異常の有無を判定し、異常がない場合には前記下り受信データを出力し、異常がある場合には前記下り受信データのフレーム構造とは異なりかつ前記無線局装置が用いるフレーム構造とは異なる特定のデータ系列を有する特定パターンのデータに切り替えて出力する下り送信データ選択部と、
前記下り送信データ選択部の出力したデータを光信号に変換して前記無線局装置側の光伝送路に出力する下りＥＯ変換部と、
を備える。
【手続補正３】
【補正対象書類名】明細書
【補正対象項目名】００１３
【補正方法】変更
【補正の内容】
【００１３】
本発明に係る光伝送装置は、
基地局制御装置及び無線局装置を接続する光伝送路に挿入された光伝送装置であって、
前記無線局装置側の光伝送路から受信した上り光信号を電気信号に変換する上りＯＥ変換部と、
前記上り光信号の光信号レベルを監視する上り受信光レベル監視部と、
前記上りＯＥ変換部から得られた上り受信データのフレーム構造を監視する上り受信フレーム監視部と、
前記上り光信号の光信号レベル及び前記上り受信データのフレーム構造に基づいて、前記無線局装置及び前記無線局装置側の光伝送路における異常の有無を判定し、異常がない場合には前記上り受信データを出力し、異常がある場合には前記上り受信データのフレーム構造とは異なる特定パターンのデータに切り替えて出力する上り送信データ選択部と、
前記上り送信データ選択部の出力したデータを光信号に変換して前記基地局制御装置側の光伝送路に出力する上りＥＯ変換部と、
前記基地局制御装置側の光伝送路から受信した下り光信号を電気信号に変換する下りＯＥ変換部と、
前記下り光信号の光信号レベルを監視する下り受信光レベル監視部と、
前記下りＯＥ変換部から得られた下り受信データのフレーム構造を監視する下り受信フレーム監視部と、
前記下り光信号の光信号レベル及び前記下り受信データのフレーム構造に基づいて、前記基地局制御装置及び前記基地局制御装置側の光伝送路における異常の有無を判定し、異常がない場合には前記下り受信データを出力し、異常がある場合には前記下り受信データのフレーム構造とは異なる特定パターンのデータに切り替えて出力する下り送信データ選択部と、
前記下り送信データ選択部の出力したデータを光信号に変換して前記無線局装置側の光伝送路に出力する下りＥＯ変換部と、
を備え、
前記上り送信データ選択部において異常があると判定した場合、前記上りＥＯ変換部は、光信号の出力を完全に停止し、
前記下り送信データ選択部において異常があると判定した場合、前記下りＥＯ変換部は、光信号の出力を完全に停止する。
【手続補正４】
【補正対象書類名】明細書
【補正対象項目名】００１４
【補正方法】変更
【補正の内容】
【００１４】
本発明に係る光伝送方法は、
基地局制御装置及び無線局装置を接続する光伝送路に挿入された光伝送装置が実行する光伝送方法であって、
前記無線局装置側の光伝送路から受信した上り光信号を電気信号に変換する上りＯＥ変換手順と、
前記上り光信号の光信号レベルを監視する上り受信光レベル監視手順と、
前記上りＯＥ変換手順で得られた上り受信データのフレーム構造を監視する上り受信フレーム監視手順と、
前記上り光信号の光信号レベル及び前記上り受信データのフレーム構造に基づいて、前記無線局装置及び前記無線局装置側の光伝送路における異常の有無を判定し、異常がない場合には前記上り受信データを出力し、異常がある場合には前記上り受信データのフレーム構造とは異なりかつ前記基地局制御装置が用いるフレーム構造とは異なる特定のデータ系列を有する特定パターンのデータに切り替えて出力する上り送信データ選択手順と、
前記上り送信データ選択手順で出力したデータを光信号に変換して前記基地局制御装置側の光伝送路に出力する上りＥＯ変換手順と、
前記基地局制御装置側の光伝送路から受信した下り光信号を電気信号に変換する下りＯＥ変換手順と、
前記下り光信号の光信号レベルを監視する下り受信光レベル監視手順と、
前記下りＯＥ変換手順で得られた下り受信データのフレーム構造を監視する下り受信フレーム監視手順と、
前記下り受信光の光信号レベル及び前記下り受信データのフレーム構造に基づいて、前記基地局制御装置及び前記基地局制御装置側の光伝送路における異常の有無を判定し、異常がない場合には前記下り受信データを出力し、異常がある場合には前記下り受信データのフレーム構造とは異なりかつ前記無線局装置が用いるフレーム構造とは異なる特定のデータ系列を有する特定パターンのデータに切り替えて出力する下り送信データ選択手順と、
前記下り送信データ選択手順で出力したデータを光信号に変換して前記無線局装置側の光伝送路に出力する下りＥＯ変換手順と、
を有する。